(57)【要約】      （修正有）【課題】竪樋を支える既存の竪樋支持金具に対して、竪樋と壁面との間隔に入り込み容易に交換可能な竪樋支持金具を提供する。【解決手段】竪樋支持金具１は、竪樋バンド５の基端に延設された一対の取付片部６、７に平坦な部分が挟み込まれ、長さ方向に間隔を開けて設けられた挿通孔６１、６２、７１、７２を介してボルト８により締結される。取付片部６、７に挟み込まれる着脱部材２には、挿通孔６１、６２の間隔よりも長い長孔２１が開けられており、この長さ範囲において長孔２１に向けて幅を狭められた括れ部ｆが設けられる。括れ部ｆは、流通段階において曲げられた状態であってかつ焼きなまし処理が施されている。【選択図】図１
2014058848.tif 000002
【特許請求の範囲】
【請求項１】
竪樋を抱持する竪樋バンドの基端に延設された一対の取付片部に平坦な部分が挟み込まれ、長さ方向に間隔を開けて設けられた挿通孔を介してボルトにより締結されるとともに、壁面に埋め込まれたアンカーにねじ込まれる鋼材製の竪樋支持金具であって、
前記取付片部に挟み込まれる平坦な部分が、当該取付片部と同じ或いは小さい幅であって、前記挿通孔の間隔よりも長い長孔が開けられており、さらに、前記長孔の長さ範囲において前記平坦な部分の上下の側辺から前記長孔に向けて幅を狭められた括れ部を有し、
前記括れ部が曲げられた状態であってかつ焼きなまし処理が施されており、また前記括れ部が曲げられた状態の竪樋支持金具の全長は、括れ部が延ばされた状態でアンカーにねじ込まれて壁面から突出した長さと同じか短いことを特徴とする竪樋支持金具。
【請求項２】
前記括れ部は、上下の側辺が平行となっていることを特徴とする請求項１の竪樋支持金具。
【発明の詳細な説明】
【技術分野】
【０００１】
本発明は、マンション等の一般住宅やビルなどの建物の壁面等に沿って設置される竪樋を支持する竪樋支持金具に関する。
【背景技術】
【０００２】
竪樋は、建物の壁面等に沿って設置されている。竪樋支持金具は、これを支持するために、壁面等に埋め込まれたアンカーに対してねじ込まれており、竪樋を抱持する竪樋バンドと、ボルトにより結合されている。竪樋支持金具は金属製のものが多く、使用年月を経るにつれ竪樋には殆ど破損が見られないのに対して、竪樋支持金具の腐食が激しく交換を要することがある。
【０００３】
竪樋支持金具を交換する際の問題点は、竪樋と壁面との間隔を広げられないことである。すなわち、アンカーに対してねじ込まれた竪樋支持金具をアンカーから取り去ろうとすると、竪樋が邪魔で取り出せない。逆も同じである。このため、古い竪樋支持金具は切断され、一方、新しい竪樋支持金具は、竪樋の正面を外した位置にアンカーを新設して取り付けることが行われている。
【０００４】
特許文献１は、竪樋はそのままに元のアンカーに竪樋支持具を取付け可能とした技術が開示されている。特許文献１によれば、竪樋支持具は、固定部材，着脱部材，軸部材とからなっており、固定部材は、元のアンカーにその一端が挿入される。着脱部材は、竪樋バンドに着脱可能となっている。軸部材は、固定部材と着脱部材とを回動可能に連結する。尚、特許文献１に開示される竪樋支持具のシルエットは、棒状の固定部材の先端を平坦化して着脱部材に相当する部分を形成した専ら東日本において多く使用される竪樋支持具を表している（例えば特許文献２）。一方、西日本では、平板にボルトを溶接した形状の竪樋支持具が多く用いられている（例えば特許文献３）。
【先行技術文献】
【特許文献】
【０００５】
【特許文献１】特開２０１１−２４１５６４号公報
【特許文献２】特開２０００−３１００１７号公報
【特許文献３】特開２００３−３２１９０９号公報
【発明の概要】
【発明が解決しようとする課題】
【０００６】
特許文献１に開示された竪樋支持具は、固定部材と着脱部材と軸部材により連結しており、竪樋が振動して、連結箇所が緩み音源になる恐れがある。また、竪樋の横を通過する人間が竪樋に接触したときに、竪樋は横方向に力を受ける。特許文献１に開示された竪樋支持具は、軸部材を水平方向にしているため、横方向に動かない。棒状の固定部材を有する形状であれば、棒状の固定部材の厚さを利用して着脱部材に垂直な軸部材を設けることが可能である。一方、平板にボルトを溶接した形状においては、平板に垂直な軸部材を設けることは困難である。
【０００７】
本発明の目的は、竪樋を支える既存の竪樋支持金具に対して、竪樋と壁面との間隔に入り込み容易に交換可能な竪樋支持金具を提供することである。
【課題を解決するための手段】
【０００８】
上述した問題を解決するため、本発明は、竪樋を抱持する竪樋バンドの基端に延設された一対の取付片部に平坦な部分が挟み込まれ、長さ方向に間隔を開けて設けられた挿通孔を介してボルトにより締結されるとともに、壁面に埋め込まれたアンカーにねじ込まれる竪樋支持金具であって、前記取付片部に挟み込まれる平坦な部分が、当該取付片部と同じ或いは小さい幅であって、前記挿通孔の間隔よりも長い長孔が開けられており、さらに、前記長孔の長さ範囲において前記平坦な部分の上下の側辺から前記長孔に向けて幅を狭められた括れ部を有し、前記括れ部が曲げられた状態であってかつ焼きなまし処理が施されており、また前記括れ部が曲げられた状態の竪樋支持金具の全長は、括れ部が延ばされた状態でアンカーにねじ込まれて壁面から突出した長さと同じか短いことを特徴とする。
【発明の効果】
【０００９】
流通する製品の段階では、括れ部が折り曲げられた状態であって全長が短くされているので、竪樋と壁面の間に容易に入り込むことができる。竪樋支持金具を壁面のアンカーに固定し、折り曲げの状態を元の真っ直ぐな状態に戻すことで、元の長さに戻り、竪樋バンドの基端に延設された一対の取付片部に挟み込まれて、固定をすることができる。
【００１０】
折れ曲がった状態の括れ部は、焼きなまし処理がされているため、手動で変形させることが可能であるが、折れ曲がり状態を延ばすことにより加工硬化し、それ以降は変形しにくいという効果がある。さらに、括れ部は、竪樋バンドと着脱可能とされる部分内に設けられており、工事完了時には、竪樋バンドの一対の取付片部に挟み込まれて、目立たなくなっており、意匠上の美観を損なわない。また、可動部が無いため竪樋の振動によって音源となることがない。
【図面の簡単な説明】
【００１１】
【図１】竪樋バンドを竪樋支持金具に固定する様子を示す図である。
【図２】実施例の竪樋支持金具を示す図である。
【図３】実施例の竪樋支持金具を壁面に取り付ける様子を示す図である。
【図４】他の実施例を示す図である。
【発明を実施するための形態】
【００１２】
図１において、本実施例の竪樋支持金具１は、ステンレス製や亜鉛めっきを施したスチール等の鋼材製平板による平坦な着脱部材２と、ボルトで形成された固定部材３および化粧座金４とからなっている。竪樋バンド５は、ステンレス製や亜鉛めっきを施したスチール等の鋼材を利用し、１本の帯状のものや、中央を蝶番で繋いだものや、図示したような、２つの半円状の金具を嵌め合わせ連結したもの等がある。竪樋バンド５は、基端に一対の取付片部６、７が延設され、一方の取付片部６には、長さ方向に間隔を開けて円形のボルト挿通孔６１、６２が形成されている。また、取付片部７にも、同様に、円形のボルト挿通孔７１、７２が形成されている。竪樋バンド５は、竪樋の径に応じて大きさの異なるものが流通しているが、径の小さい樋（例えば直径２２ｍｍ）に利用される竪樋バンド５の幅ｗ１は２５ｍｍ、径の大きい樋（例えば直径１６５．２ｍｍ）に利用される竪樋バンド５の幅ｗ１は３２ｍｍとなっており、ほぼ共通している。
【００１３】
着脱部材２は、竪樋バンド５と安定的にかつ連続的に接続するため、その幅ｗ１と同じ或いはほぼ同じ（＋／−５ｍｍ程度）幅ｗ２を有し、ボルト挿通孔６１、６２、７１、７２を貫通するボルト８、８を通す長孔２１が設けられている。ボルト８はＭ８ボルトであり、長孔２１の幅は１０ｍｍ程度である。また、長孔２１の長さＬの範囲において、上下の側辺２４、２５から長孔２１に向けて幅が狭められた括れ部ｆを有している。括れ部ｆは、着脱部材２の幅方向の長さを減少し、その前後を上下で夫々ｗ３、ｗ４の幅で連結するものである。ｗ３、ｗ４は同じ長さであることが望ましい。括れ部ｆの上下の側辺２６、２７は平行になっている。
【００１４】
長孔２１の長さＬは、ボルト挿通孔６１、６２或いはボルト挿通孔７１、７２の間隔よりも大きく設定されており、壁面と竪樋の間隔のバラツキを吸収できるようになっている。一方で、長孔２１の長さＬは、取付片部６と取付片部７により挟まれたときに、取付片部６と取付片部７から露出しない長さになっている。括れ部ｆが設けられるのは、長孔２１の中でボルト８がどこの位置で貫通していようが、ボルト８、８の間に存在するような位置である。着脱部材２と固定部材３との間には、化粧座金４が挟まれている。
【００１５】
取付片部６と取付片部７とにより着脱部材２の全部或いは先端の部分を挟んで、ボルト８、８により締結する（図１Ｂ）。着脱部材２の括れ部ｆは、取付片部６と取付片部７とにより挟み込まれる部分に存在するため、取付片部６、７により覆われてしまい、着脱部材２の一部側面が凹んでいるように見えるだけとなり、意匠上の美観を損なわず外観的には殆ど気付かない状態になる。また、括れ部ｆはボルト８、８の間に存在するようにしたほうが、括れ部ｆと固定部材３との中間に位置する部分も取付片部６、７に挟み込まれ、挟み込まれる範囲が大きくなるので望ましい。
【００１６】
図２に、竪樋支持金具１の細部を示す。図２Ａにおいて、ステンレス製の着脱部材２は基端となる側面２２に２つの溶接片２３を有している。溶接片２３の間隔は、固定部材３であるボルトの頭部４３の大きさである。一方、化粧座金４には、溶接片２３に対応する位置に貫通孔４１が設けられている。
【００１７】
溶接片２３を貫通孔４１に挿入し、反対側から頭部４３を溶接片２３の間に入れ、側面２２と頭部４３の間に化粧座金４を挟んだ状態で、溶接４２を行う（図２Ｂ）。この結果、固定部材３と着脱部材２は直線上に配置される。
【００１８】
括れ部ｆを折り曲げる（図２Ｃ）。折り曲げる前の状態の脚長（竪樋支持金具１を壁面のアンカーにねじ込んだ際に、壁面から突出する長さ）をｈ１とし、壁面に埋没する長さをｈ２とし、折り曲げた状態の脚長をｋ１とすると、ｋ１はｈ１からｈ２を引いた長さと同じ、或いは短い長さになっている。すなわち、括れ部ｆを折り曲げた状態では、竪樋支持金具１の全長ｋ２は、長さｈ１と同じか短い。
【００１９】
括れ部ｆは折り曲げられたことにより、加工硬化するため、再度折り曲げた箇所に対して焼きなましを行い、加工硬化による内部の歪を取り除き、組織を軟化させる。竪樋支持金具１として流通する製品の形態は、図２Ｄに示したように、括れ部ｆは折り曲げられてさらに括れ部ｆに対して焼きなまし処理が施された形態である。焼きなまし処理は、括れ部ｆに限って行うのが望ましい。括れ部ｆのみが変形して元に戻るようにするためである。
【００２０】
図３に、竪樋支持金具１を壁面１２取り付ける様子を示す。壁面１２にはアンカー１０が埋め込まれており、その正面には竪樋１１が設置されている。竪樋１１は動かすことができず、壁面１２との間隔ｓは固定である。この間隔ｓに、折り込まれた状態の竪樋支持金具１を差込む（図３Ａ）。竪樋支持金具１の全長ｋ２は、間隔ｓと同じがやや小さい長さである。固定部材３をアンカー１０にねじ込む（図３Ｂ）。脱着部材２は垂直姿勢である。そして、ペンチ等の工具を利用して括れ部ｆを折り曲げた状態から元の真っ直ぐな状態に戻す。この加工の過程で、括れ部ｆは加工硬化する。そして、壁面が突出した脚長ｈ１は、間隔ｓと同じかやや短い長さである。
【００２１】
括れ部ｆが延ばされた状態の竪樋支持金具１に対して、竪樋バンド５を固定すると、図１Ｂに示したように、着脱部材２の括れ部ｆは取付片部６と取付片部７とにより覆われて、外観からは殆ど目立たなくなる。
【００２２】
竪樋支持金具１では、可動箇所が無いため、竪樋が振動しても音源となる箇所が無い。竪樋支持金具１を取り外す際には、括れ部ｆを切断することにより取り外す。一旦、延ばされた括れ部ｆは、加工硬化し容易には元の折曲がり状態には戻らないからである。
【００２３】
上記実施例において、括れ部ｆの幅ｗ３、ｗ４は、焼きなました状態のステンレス鋼が、手動により変形可能な幅である。本実施例において、脱着部材２として利用されるステンレス板は、３ｍｍ程度の厚さがあり、幅ｗ３、ｗ４はともに夫々４ｍｍにした。アンカー１０に差し込まれた状態の竪樋支持金具１に対して、括れ部ｆよりも先の箇所をペンチで挟んで力を加えたとき、括れ部ｆが変形するのではなく、固定部材３であるボルトと溶接片２３との位置に変形が起こる可能性もある。幅ｗ３、ｗ４の長さは、この事態も回避するように設定する必要がある。
【００２４】
括れ部ｆの上下の側辺２６、２７は平行になって距離があるため、括れ部ｆを折り曲げ状態から元に戻すとき、折り曲げた後が残り、波を打ったように戻る。しかし、側辺２６、２７を平行に距離を取る事により、折り曲げ状態から戻すときに、折り曲げ点の前後で変形させることができるので力を要しないという効果がある。本実施例では、括れ部ｆの側辺２６、２７が平行となっている長さを、１２ｍｍとした。
【００２５】
以上、平板にボルトを溶接した形状の竪樋支持金具１について実施例を示して説明したが、鋼材製の棒状の部材の一端を平坦に押し潰して脱着部材に相当する部分を形成した竪樋支持金具に対しても適用できる。図４は、そのような竪樋支持金具１００を示している。
【００２６】
竪樋支持金具１００においては、先の実施例と同様に脱着部材に相当する幅ｗ２の平坦な部分２００に、長孔２１と括れ部ｆが設けられている。他端には、アンカーに固定するためにネジ山が刻まれた部分３００を有している。幅ｗ２、長孔２１、括れ部ｆについては、先の実施例と同じである。竪樋支持金具１００が製品として流通する際には、括れ部ｆが折れ曲げられた状態で焼きなまし処理が施された状態（図４Ｂ）で流通する。
【００２７】
このような竪樋支持金具１００においても、竪樋バンド５を固定すると、括れ部ｆは取付片部６と取付片部７とにより覆われて、外観からは殆ど目立たなくなる。また、可動部が無いため竪樋の振動によって音源となることがない。
【符号の説明】
【００２８】
１・・・竪樋支持金具
２・・・着脱部材
３・・・固定部材
４・・・化粧座金
５・・・竪樋バンド
８・・・ボルト
１１・・・竪樋
１２・・・壁面
ｆ・・・括れ部
【図１】
2014058848.tif 000003
【図２】
2014058848.tif 000004
【図３】
2014058848.tif 000005
【図４】
2014058848.tif 000006